(57)【要約】      （修正有）【課題】既存建築物の居室内に設置し、日常時には従来の居室機能によって快適に過ごすことができ、地震や台風による災害時には緊急避難せず、そこに留まることで住人の安全を確保できる性能を有するシェルターを提供する。【解決手段】既存建築物の居室内に設置される簡易的、部分的なシェルター１０であって、その躯体は４つのＬ字状枠から形成される耐震開口フレーム１が一定の間隔で配置され、上部連結部材２及び下部連結部材３によって連結され、構成される。【選択図】図１
0003224111.tif 000002
【実用新案登録請求の範囲】
【請求項１】
既存建築物の居室内に設置される簡易的、部分的なシェルターであって、その躯体は４つのＬ字状枠から形成される耐震開口フレームと、上部連結部材及び下部連結部材によって構成されるシェルター。
【請求項２】
天井部に発泡スチレン等の板状断熱材と、構造用合板及び天井下地材からなる衝撃吸収部材を有する請求項１に記載のシェルター。
【請求項３】
壁部にポリカーボネート等の合成樹脂製部材からなる耐震側壁や耐震建具を有する請求項１に記載のシェルター。
【請求項４】
内部に設備機器や通信機器等が設置できるように、所定の配線が施された請求項１に記載のシェルター。
【考案の詳細な説明】
【考案の詳細な説明】
【技術分野】
【０００１】  本考案は既存建築物の居室内に設置する、日常時には、従来の居室機能によって快適に過ごすことができ、災害時には緊急避難せず、そこに留まることで住人の安全確保を可能にする耐震性と耐衝撃性を有する、短工期、低コストで簡単に設置可能なシェルターに関するものである。
【背景技術】
【０００２】  近年、日本各地で頻発する地震や台風による自然災害。その被害から住人を守るためのシェルターは数多く考案されているが、鉄骨などで形成される金属製のものが多い。また、災害が発生してから一時的に避難するなど、移動を伴うものがほとんどで、日常時の空間を維持しつつも、いざという時にその場に居ながらにして、シェルターとしての機能・設備を有する空間に成り得る木造のものが無いのが現状である。
【先行技術文献】
【特許文献】
【０００３】
【特許文献１】特開２０１４−３１６８２
【考案の概要】
【考案が解決しようとする課題】
【０００４】  特許文献１には、木造建築物の内部に複数の鉄骨鋼材を用いて組み立てられる地震シェルターが開示されている。性能確認試験によって強度や耐震性能の高さが明記されているが、建築物内部にシェルターを組み立てるため、床、天井の撤去工事、シェルター用の基礎工事、シェルター設置工事、床、天井の復旧工事を行うなど、大掛かりな工事となり、多くの費用と施工時間を要する。また、シェルター用の基礎が必要なため、建築物の１階にしか設置できず、地震発生時に上階等の別室にいた場合は、シェルターを設置した部屋まで避難しなければならない。避難を要するシェルターでは、特に深夜や早朝といった多くの人が就寝している時間帯に災害が発生した場合、咄嗟の行動や計画通りの行動は非常に困難であり、災害が発生してから避難を始めたとしても、そこへ辿り着く前に被害を受ける可能性が十分考えられる。【０００５】  そこで本考案は、短工期、低コストで簡単に施工可能な木造のシェルターとして、日常時には、従来の居室機能によって快適に過ごすことができ、災害時には緊急避難をせず、そこに留まることで住人の安全確保を可能にする耐震性と耐衝撃性を有するシェルターを提供することを課題とする。
【課題を解決するための手段】
【０００６】  本願請求項１に記載した考案は、既存建築物の居室内、特に寝室のベッドスペースに設置するシェルターであって、その躯体が４つのＬ字状枠から形成される耐震開口フレームと、上部連結部材及び下部連結部材によって構成されることを特徴とする。耐震開口フレームは、木質フレームの接合部を剛接合化することで、開口部を有するにも関わらず、地震によって生じる水平力を負担し、シェルターの耐震性と開放性（デザイン）の両立を可能とする。また木材によって構成する事で、短工期、低コストで簡単に設置可能である。【０００７】  本願請求項２に記載した考案は、シェルターの天井部において、発泡スチレンなどの板状断熱材と、構造用合板及び天井下地材からなる衝撃吸収部材を設置することで、災害時に上部からの落下物の衝撃を吸収し、シェルターの損傷や崩壊を防ぐと共に、シェルター内の住人の安全確保が可能であることを特徴とする。【０００８】  本願請求項３に記載した考案は、シェルターの壁部において、ポリカーボネート等の合成樹脂製部材で形成される耐震側壁や耐震建具を有することを特徴とする。耐震側壁や耐震建具は、耐震開口フレームや上下連結部材と緊結することで所定の耐震性が確保できる。ポリカーボネート等の合成樹脂製部材は、特性として高い耐衝撃性を備えており、就寝時には建具を閉じておくことで、地震が発生した場合に、飛散物から住人を守ることができる。また、高い透明性を備えていることから、側壁部材として用いたり、建具として用いて、日中はオープンにしておくことで、開放的な空間を演出することが可能である。なお、側壁に開放性が不要な場合は、構造用合板など木造の一般的な耐震壁を用いることもできる。【０００９】  本願請求項４に記載した考案は、シェルター内に所定の配線を施すことで、温度、湿度、照明、換気等の設備機器や、ＴＶ等の通信機器が設置可能で、日常時において、より快適な生活を過ごすことができることを特徴とする。
【考案の効果】
【００１０】  以上のように本考案によれば、短工期、低コストで簡単に施工可能な木造のシェルターとして、日常時には、従来の居室機能によって快適に過ごすことができ、災害時には緊急避難せず、そこに留まることで住人の安全を確保可能にする耐震性と耐衝撃性を有するシェルターを提供することができる。
【図面の簡単な説明】
【００１１】
【図１】本考案の一実施例であり、シェルターの躯体、天井部、壁部の構成を示す斜視図である。
【図２】天井部に設置する衝撃吸収部材の構成を示す斜視図である。
【図３】本考案の一実施例を示す斜視図である。
【図４】本考案の一実施例を既存建築物の居室内に設置した斜視図である。
【考案を実施するための形態】
【００１２】  本考案の実施形態について、図面を参照して説明する。なお、これらはあくまで一実施形態であり、本考案の技術的範囲はこれに限定されるわけではない。
【実施例】
【００１３】  図１に示すように、本考案によるシェルター１０は、耐震開口フレーム１をスパン方向に一定の間隔で配置し、上部連結部材２及び下部連結部材３によって躯体を構成する。壁部は耐震側壁４で形成し、開口部には耐震建具５を所定のレールと頑強な金具にて設置する。天井部には衝撃吸収部材６を設置する。【００１４】  図２が示すシェルター１０の天井部に設置する衝撃吸収部材６は、構造用合板７と、板状断熱材８及び天井下地材９から構成されている。【００１５】  図３は全ての部材を組合せたシェルター１０の一実施例の全体斜視図である。躯体を構成する耐震開口フレーム１と耐震側壁４および耐震建具５によって、十分な耐震性と耐衝撃性を確保し、天井部に設置する衝撃吸収部材６によって、上部からの落下物の衝撃を吸収し、シェルター１０の損傷や崩壊を防ぐと共に、シェルター内の住人の安全確保が可能となる。【００１６】  図４が示すように、本考案によるシェルター１０は既存建築物の居室内、特に寝室のベッドスペースに設置することを基本とする。咄嗟の行動や、計画通りの行動が困難な深夜や早朝といった多くの人が就寝している時間帯に災害が発生した場合でも、そこに留まることで、住人の安全を確保することが可能となる。【００１７】  またシェルターは、既存建築物の躯体と切り離すことで短工期、低コストで自由に設置が可能である。（但し、居室内床面の梁等に固定する。）【００１８】  その他、特に図示はしないが、シェルター内には、設備機器や通信機器等が設置できるように所定の配線が施され、また、災害時用の緊急備品も収納可能となっている。
【産業上の利用可能性】
【００１９】  本考案は、既存建築物の居室内に設置するものであるが、所定の構造設計や耐震診断を行い、本シェルターの構造を既存建築物の躯体に組込むことで、居室自体をシェルター化し、建物全体のコアとして機能させることが可能である。
【符号の説明】
【００２０】１    耐震開口フレーム
２    上部連結部材
３    下部連結部材
４    耐震側壁（ポリカーボネート等の合成樹脂製部材、透明もしくは半透明）
５    耐震建具（ポリカーボネート等の合成樹脂製部材、透明もしくは半透明）
６    衝撃吸収部材
７    構造用合板
８    板状断熱材
９    天井下地材
１０  シェルター
１１  寝具
【図１】
0003224111.tif 000003
【図２】
0003224111.tif 000004
【図３】
0003224111.tif 000005
【図４】
0003224111.tif 000006
【手続補正書】
【提出日】令和1年9月4日(2019.9.4)
【手続補正１】
【補正対象書類名】実用新案登録請求の範囲
【補正対象項目名】全文
【補正方法】変更
【補正の内容】
【実用新案登録請求の範囲】
【請求項１】
既存建築物の居室内に設置される簡易的、部分的なシェルターであって、その躯体は４つのＬ字状枠から形成される耐震開口フレームが一定の間隔で配置され、上部連結部材及び下部連結部材によって連結され、構成されるシェルター。
【請求項２】
天井部に発泡スチレン等の板状断熱材と、構造用合板及び天井下地材からなる衝撃吸収部材を有する請求項１に記載のシェルター。
【請求項３】
壁部にポリカーボネート等の合成樹脂製部材からなる耐震側壁や耐震建具を有する請求項１に記載のシェルター。
【請求項４】
内部に設備機器や通信機器等が設置できるように、所定の配線が施された請求項１に記載のシェルター。